(57)【要約】  打ち出し条件の計測や弾道計測を的確にかつ正確に行う上で有利な球技用ボールを提供する。ゴルフボール２は、球体２０と、交差面２２とを備えている。交差面２２は、球体２０の中心を中心とした球面２４に対して交差し、交差面２２は導電性を有する導電性交差面２６として形成されている。球面２４は、球体２０の直径よりも小さい直径で形成され、導電性交差面２６は、球面２４の径方向外側に形成されている。交差面２２は、球体２０の中心を中心とした球面２４に対して交差しており、交差面２２は導電性を有する導電性交差面２６として形成されている。導電性交差面２６は、環状体２８の両側の側面で形成され、したがって、導電性交差面２６は、球面２４の周方向の全周の全長にわたって連続形成されている。
2013172015.tif 000002
【特許請求の範囲】
【請求項１】
球体と、
前記球体の中心を中心とした球面に対して交差し前記球体の外表面の内側に位置する交差面とを有し、
前記交差面は導電性を有する導電性交差面として形成されている、
ことを特徴とする球技用ボール。
【請求項２】
前記導電性交差面は、前記球面の周方向の全周の全長にわたって連続形成されている、
ことを特徴とする請求項１記載の球技用ボール。
【請求項３】
前記球面は、前記球体の直径よりも小さい直径で形成され、
前記導電性交差面は、前記球面の径方向外側に形成されている、
ことを特徴とする請求項１または２記載の球技用ボール。
【請求項４】
前記球面の全域は、導電性を有する導電性球面として形成されている、
ことを特徴とする請求項３記載の球技用ボール。
【請求項５】
前記球面の中心を通る平面と交差する前記球面の全周に導電性を有する材料からなる第１の環状体が突出形成され、
前記導電性交差面は、前記第１の環状体の両側の側面で形成されている、
ことを特徴とする請求項１〜４に何れか１項記載の球技用ボール。
【請求項６】
前記球面の中心を通り前記平面と直交する少なくとも1つ以上の平面と交差する前記球面の全周に導電性を有する材料からなる少なくとも1つ以上の第２の環状体が突出形成され、
前記導電性交差面は、それら第１、第２の環状体の両側の側面で形成されている、
ことを特徴とする請求項５記載の球技用ボール。
【請求項７】
前記球面は、前記球体の直径よりも小さい直径で形成され、
前記導電性交差面は、前記球面の径方向内側に形成されている、
ことを特徴とする請求項１記載の球技用ボール。
【請求項８】
前記球面の中心を通る平面と交差する前記球面の全周に第１の凹溝が形成され、
前記凹溝に導電性材料が埋め込まれることで第１の環状体が形成され、
前記導電性交差面は、前記第１の環状体の両側の側面で形成されている、
ことを特徴とする請求項１、２、７に何れか１項記載の球技用ボール。
【請求項９】
前記球面の中心を通り前記平面と直交する少なくとも1つ以上の平面と交差する前記球面の全周に第２の凹溝が形成され、
前記第２の凹溝に導電性材料が埋め込まれることで少なくとも1つ以上の第２の環状体が形成され、
前記導電性交差面は、それら第１、第２の環状体の両側の側面で形成されている、
ことを特徴とする請求項８記載の球技用ボール。
【請求項１０】
前記球体は、該球体の中心に位置する球状のコア層と、前記コア層を覆う１層以上のカバー層とで構成され、
前記球面は、前記コア層の表面または前記１層以上のカバー層のうちの何れか１つ層の表面である、
ことを特徴とする請求項１〜９に何れか１項記載の球技用ボール。
【請求項１１】
前記導電性交差面は、前記球面の周方向に間隔をおいて複数形成されている、
ことを特徴とする請求項１記載の球技用ボール。
【請求項１２】
前記球面は、前記球体の直径よりも小さい直径で形成され、
前記導電性交差面は、前記球面の径方向外側に形成されている、
ことを特徴とする請求項１１記載の球技用ボール。
【請求項１３】
前記球面の全域は、導電性を有する導電性球面として形成されている、
ことを特徴とする請求項１２記載の球技用ボール。
【請求項１４】
前記球面は、前記球体の直径よりも小さい直径で形成され、
前記導電性交差面は、前記球面の径方向内側に形成されている、
ことを特徴とする請求項１１記載の球技用ボール。
【請求項１５】
前記球体は、該球体の中心に位置する球状のコア層と、前記コア層を覆う１層以上のカバー層とで構成され、
前記球面は、前記コア層の表面または前記１層以上のカバー層のうちの何れか１つ層の表面である、
ことを特徴とする請求項１１〜１４に何れか１項記載の球技用ボール。
【請求項１６】
前記球面に複数の凹部が形成され、
前記凹部の側面に導電性を有する材料が形成され、
前記導電性交差面は、前記凹部の側面に形成した導電性を有する材料によって形成されている、
ことを特徴とする請求項１記載の球技用ボール。
【請求項１７】
前記球面に複数の凹部が形成され、
前記凹部に導電性を有する材料が充填され、
前記導電性交差面は、前記充填された材料の側面によって形成されている、
ことを特徴とする請求項１記載の球技用ボール。
【請求項１８】
前記球面に複数の凸部が形成され、
前記凸部の側面に導電性を有する材料が形成され、
前記導電性交差面は、前記凸部の側面に形成された導電性を有する材料によって形成されている、
ことを特徴とする請求項１記載の球技用ボール。
【請求項１９】
前記球面に導電性を有する材料からなる複数の凸部が形成され、
前記導電性交差面は、前記凸部の側面によって形成されている、
ことを特徴とする請求項１記載の球技用ボール。
【請求項２０】
前記導電性交差面は、前記球体の中心を通る平面上に位置している、
ことを特徴とする請求項１〜１９に何れか１項記載の球技用ボール。
【請求項２１】
前記導電性交差面は、前記球体の半径方向に沿った高さが好ましくは２００μｍ以上、より好ましくは４００μｍ以上である、
ことを特徴とする請求項１〜２０に何れか１項記載の球技用ボール。
【発明の詳細な説明】
【技術分野】
【０００１】
本発明は球技用ボールに関する。
【背景技術】
【０００２】
近年、球技用ボール、特にゴルフボールの打ち出し条件（ゴルフボールの初速、打ち出し角度、スピン量）の計測や弾道計測を行う計測装置としてドップラーレーダを用いた装置が使用されている。
上記装置では、アンテナからゴルフボールに向けてマイクロ波からなる送信波を発射し、ゴルフボールで反射された反射波を計測し、送信波と反射波から得られるドップラー信号に基づいて移動速度やスピン量を求める。
この場合、移動速度やスピン量を安定して確実に計測するためには、反射波を効率よく得ることが重要である。言い換えると、反射波を効率よく得ることが計測距離を確保する上で有利となる。【０００３】
一方、外観性やデザイン性を高めるために金属材料を含む層や膜をボールの表面全体にわたって設ける技術が提案されている（特許文献１、２、３参照）。
また、反発性を確保するために、ボールのコア層とカバーの間に球面状の金属層を設ける技術が提案されている（特許文献４参照）。
【先行技術文献】
【特許文献】
【０００４】
【特許文献１】特開２００７−０２１２０４号公報
【特許文献２】特開２００４−１６６７１９号公報
【特許文献３】特開２００７−１７５４９２号公報
【特許文献４】特開平１１−０７６４５８号公報
【発明の概要】
【発明が解決しようとする課題】
【０００５】
本発明者らの実験によれば、金属材料を含む層や膜がボールの表面全体に球面状に形成されていると、電波反射特性を確保する上では有利となるものの、ボールのスピン量に関しては計測距離を確保する上で不十分なものであった。
本発明は、このような事情に鑑みてなされたものであり、その目的は、打ち出し条件の計測や弾道計測を的確にかつ正確に行う上で有利な球技用ボールおよびその製造方法を提供することにある。
【課題を解決するための手段】
【０００６】
上記目的を達成するために、本発明の球技用ボールは、球体と、前記球体の中心を中心とした球面に対して交差し前記球体の外表面の内側に位置する交差面とを有し、前記交差面は導電性を有する導電性交差面として形成されていることを特徴とする。
【発明の効果】
【０００７】
本発明によれば、ドップラーレーダを用いた計測装置のアンテナから発射された送信波が球技用ボールの回転と共に移動する導電性交差面によって効率よく反射されるので、ドップラー信号におけるスピン量を検出するために必要な周波数分布の信号強度を確保することができ、スピン量の検出を安定して確実に行うことができ、打ち出し条件の計測や弾道計測を的確にかつ正確に行う上で有利となる。
【図面の簡単な説明】
【０００８】
【図１】ドップラーレーダを用いた球技用ボールの計測原理を説明するブロック図である。
【図２】ゴルフボールのスピン量を検出する原理の説明図である。
【図３】打撃された打ち出されたゴルフボールをドップラーレーダ１０で計測した場合におけるドップラー信号Ｓｄをウェーブレット解析した結果を単純化して示す説明図である。
【図４】図３における時点ｔ１におけるドップラー信号Ｓｄを周波数解析することによって得た、周波数ごとの信号強度の分布を示す信号強度分布データＰを示す説明図である。
【図５】第１の実施の形態におけるゴルフボール２の断面図である。
【図６】第２の実施の形態におけるゴルフボール２の断面図である。
【図７】第３の実施の形態におけるゴルフボール２の断面図である。
【図８】第４の実施の形態におけるゴルフボール２の断面図である。
【図９】第５の実施の形態におけるゴルフボール２の断面図である。
【図１０】第６の実施の形態におけるゴルフボール２の断面図である。
【図１１】第７の実施の形態におけるゴルフボール２の断面図である。
【図１２】第８の実施の形態におけるゴルフボール２の断面図である。
【図１３】第９の実施の形態におけるゴルフボール２の断面図である。
【図１４】第１０の実施の形態におけるゴルフボール２の断面図である。
【図１５】第１１の実施の形態におけるゴルフボール２の断面図である。
【図１６】第１２の実施の形態におけるゴルフボール２の断面図である。
【図１７】第１３の実施の形態におけるゴルフボール２の断面図である。
【図１８】第１４の実施の形態におけるゴルフボール２の断面図である。
【図１９】第１５の実施の形態におけるゴルフボール２の断面図である。
【図２０】（Ａ）〜（Ｄ）は導電性交差面２６の変形例を示すゴルフボール２の断面図である。
【図２１】（Ａ）〜（Ｂ）は実施例１の実験例１〜３における信号強度分布データＰｓを示す図である。
【図２２】実施例２におけるゴルフボール２の各部の寸法を説明する断面図である。
【図２３】実施例２における実験例１０〜１６の実験結果を示す図である。
【発明を実施するための形態】
【０００９】
（第１の実施の形態）
本発明の球技用ボールの実施の形態について説明する前に、ドップラーレーダを用いた球技用ボールの移動速度およびスピン量の測定原理について説明する。
図１に示すように、ドップラーレーダ１０は、アンテナ１２と、ドップラーセンサ１４とを備える。
なお、図１において符号２は球技用ボールとしてのゴルフボール、４はゴルフクラブヘッド、６はシャフト、８はゴルフクラブを示す。
【００１０】
アンテナ１２は、ドップラーセンサ１４から供給される送信信号に基づいて送信波Ｗ１としてのマイクロ波をゴルフボール２に向けて送信すると共に、ゴルフボール２で反射された反射波Ｗ２を受信して受信信号をドップラーセンサ１４に供給するものである。
【００１１】
ドップラーセンサ１４は、アンテナ１２に送信信号を供給するものである。また、アンテナ１２から供給される受信信号に基づいてドップラー周波数Ｆｄを有するドップラー信号Ｓｄを時系列データとして生成するものである。
ドップラー信号Ｓｄとは、前記送信信号の周波数Ｆ１と前記受信信号の周波数Ｆ２との差分の周波数Ｆ１−Ｆ２で定義されるドップラー周波数Ｆｄを有する信号である。
ドップラーセンサ１４は、市販されている種々のものが使用可能である。
なお、前記の送信信号としては、例えば、２４ＧＨｚのマイクロ波が使用可能であり、ドップラー信号Ｓｄを得られるものであれば送信信号の周波数は限定されない。
【００１２】
次に、ゴルフボール２の速度およびスピン量の計測原理について説明する。
従来から知られているように、ドップラー周波数Ｆｄは式（１）で表される。
Ｆｄ＝Ｆ１−Ｆ２＝２・Ｖ・Ｆ１／ｃ      （１）
ただし、Ｖ：ゴルフボール２の速度、ｃ：光速（３・１０８ｍ／ｓ）
したがって、式（１）をＶについて解くと、式（２）となる。
Ｖ＝ｃ・Ｆｄ／（２・Ｆ１）              （２）
すなわち、ゴルフボール２の速度Ｖは、ドップラー周波数Ｆｄに比例することになる。
したがって、ドップラー信号Ｓｄからドップラー周波数Ｆｄの周波数成分を検出し、検出したドップラー周波数成分から式（２）に基づいてゴルフボール２の速度Ｖを求めることができる。
【００１３】
図２はゴルフボールのスピン量を検出する原理の説明図である。
ゴルフボール２の表面のうち、送信波Ｗ１の送信方向となす角度が９０度に近い表面の部分である第１部分Ａでは送信波Ｗ１が効率よく反射され、したがって、第１部分Ａでは反射波Ｗ２の強度が高い。
一方、ゴルフボールの表面のうち、送信波Ｗ１の送信方向となす角度が０度に近い表面の部分である第２部分Ｂ、第３部分Ｃでは送信波Ｗ１が効率よく反射されず、したがって、第２、第３部分Ｂ、Ｃでは反射波Ｗ２の強度が低い。
第２部分Ｂは、ゴルフボール２のスピンによって回転する方向とゴルフボールの移動方向とが反対向きとなる部分である。
第３部分Ｃは、ゴルフボール２のスピンによって回転する方向とゴルフボールの移動方向とが同じ向きとなる部分である。
【００１４】
第１部分Ａで反射される反射波Ｗ２に基づいて検出される速度を第１部分速度Ｖａ、第２部分Ｂで反射される反射波Ｗ２に基づいて検出される速度を第２部分速度Ｖｂ、第３部分Ｃで反射される反射波Ｗ２に基づいて検出される速度を第３部分速度Ｖｃとする。
すると、以下の式が成立する。
Ｖａ＝Ｖα        （３）
Ｖｂ＝Ｖａ−ωｒ  （４）
Ｖｃ＝Ｖａ＋ωｒ  （５）
（ただし、Ｖαはゴルフボール２の移動速度、ωは角速度（ｒａｄ／ｓ）、ｒはゴルフボール２の半径）
したがって、原理的には、式（３）に基づいて第１部分速度Ｖａからゴルフボール２の移動速度Ｖαを算出でき、式（４）または式（５）に基づいて、第２、第３部分速度Ｖｂ、Ｖｃから角速度ωが求められるので、角速度ωからスピン量を算出できることになる。
しかしながら、ドップラーレーダは、上記の式に基づいて移動速度Ｖα、スピン量を算出するのではなく、以下に説明するように、ドップラー信号Ｓｄを周波数解析することによって周波数ごとの信号強度の分布を示す信号強度分布データＰを生成し、この信号強度分布データＰから移動速度Ｖα、スピン量を求めることが可能である。
【００１５】
図３は、打撃された打ち出されたゴルフボールをドップラーレーダ１０で計測した場合におけるドップラー信号Ｓｄをウェーブレット解析した結果を単純化して示す説明図である。
横軸は時間ｔ（ｍｓ）、縦軸はドップラー周波数Ｆｄ（ｋＨｚ）およびゴルフボール２の速度Ｖ（ｍ／ｓ）を示す。
このような線図は、例えば、ドップラー信号Ｓｄをサンプリングしてデジタルオシロスコープに取り込んでデジタルデータに変換し、該デジタルデータをパーソナルコンピュータなどを用いてウェーブレット解析、あるいは、連続ＦＦＴ解析することで得られる。
【００１６】
図３に示す周波数分布において、ハッチングで示した部分はドップラー信号Ｓｄの強度が大きく、実線で示した部分はドップラー信号Ｓｄの強度がハッチングで示した部分よりも小さいことを示している。
したがって、符号ＤＡで示す周波数分布は、信号強度が強く、第１部分速度Ｖａに対応する部分である。
符号ＤＢで示す周波数分布は、周波数分布ＤＡよりも信号強度が低く、第２部分速度Ｖｂに対応する部分である。
符号ＤＣで示す周波数分布は、周波数分布ＤＡよりも信号強度が低く、第３部分速度Ｖｃに対応する部分である。
【００１７】
図４は図３における時点ｔ１におけるドップラー信号Ｓｄを周波数解析することによって得た、周波数ごとの信号強度の分布を示す信号強度分布データＰを示す説明図である。
図４において横軸は速度Ｖ（ｍ／ｓ）、縦軸は信号強度Ｐｓ（任意単位）である。なお、横軸の速度Ｖはドップラー信号Ｓｄの周波数に比例している。
図中細線は信号強度分布データＰの実測値を表わし、太線は信号強度分布データＰの実測値の移動平均を示す。
すなわち、信号強度分布データＰの実測値は、スピンの影響を受けて大きく変動しているため、移動平均をとることによってデータを安定させ、後の信号処理がしやすい信号強度分布データＰを得ている。
【００１８】
以下移動平均によって表わされた信号強度分布データＰについて説明する。
図４から明らかなように、信号強度分布データＰは、信号強度Ｐｓが最大となる１つの最大値を有し、最大値から離れるほど信号強度が次第に低下しやがてゼロとなる単一の山形を呈している。
ここで、信号強度分布データＰの山、すなわち、信号強度Ｐｓの最大値Ｄｍａｘが第１部分速度Ｖａの値に対応している。言い換えると、信号強度Ｐｓの最大値Ｄｍａｘが対応するドップラー周波数の値が第１部分速度Ｖａの値に対応している。
したがって、最大値Ｄｍａｘに対応するドップラー周波数が高いほど、第１部分速度Ｖａ、すなわち、ゴルフボール２の移動速度が速いことになる。
また、信号強度分布データＰの山の幅は、第２部分速度Ｖｂと第３部分速度Ｖｃの差分ΔＶ（速度幅）に比例する。
したがって、第２部分速度Ｖｂと第３部分速度Ｖｃの差分ΔＶが小さいほどスピン量が少なく、したがって、この差分ΔＶがゼロならばスピン量もゼロとなる。また、第２部分速度Ｖｂと第３部分速度Ｖｃの差分ΔＶが大きいほどスピン量が多いことになる。
【００１９】
ここで、第２部分速度Ｖｂと第３部分速度Ｖｃの差分ΔＶは、式（４）、式（５）からわかるように以下の式（６）で示され、すなわち、角速度ωに比例した値となる。
ΔＶ＝Ｖｃ−Ｖｂ＝（Ｖａ＋ωｒ）−（Ｖａ−ωｒ）＝２ωｒ    （６）
したがって、（６）式から明らかなように、信号強度分布データＰの山の幅に基づいてスピン量を算出することができる。
ここで、山の幅は次のように定義することができる。
すなわち、信号強度分布データＰの山の幅は、信号強度信号強度Ｐｓの閾値ＤｔをＤｍａｘ・Ｎ（ただし０＜Ｎ＜１）とした場合、信号強度分布データＰのうち信号強度Ｐｓが閾値Ｄｔとなる部分の幅とする。
図４では、Ｄｔ＝Ｄｍａｘ・１０％と、Ｄｔ＝Ｄｍａｘ・５０％とを例示しているが、閾値Ｄｔは山の幅を安定して計測できる値に設定すればよい。
したがって、図４に示すように、ドップラー信号Ｓｄの信号強度分布データＰを求めることにより、この信号強度分布データＰから移動速度Ｖα、スピン量Ｓｐを容易に求めることが可能となる。
例えば、ゴルフボールを実際に打撃して最大値Ｄｍａｘと移動速度Ｖαのデータを実測すると共に、信号強度分布データＰの山の幅とスピン量Ｓｐのデータを実測する。
そして、これら実測結果から最大値Ｄｍａｘと移動速度Ｖαの相関マップと、信号強度分布データＰの山の幅とスピン量Ｓｐの相関マップとを作成する。
これら相関マップを用いることにより、最大値Ｄｍａｘから移動速度Ｖαを得ることができ、信号強度分布データＰの山の幅からスピン量Ｓｐを得ることができる。
したがって、このような測定原理を用いて移動速度Ｖαを得るにあたっては最大値Ｄｍａｘを確実に計測することが重要である。
また、スピン量Ｓｐを得るにあたっては、信号強度分布データＰの山の幅を確実に計測することが重要である。
しかしながら、打撃されたゴルフボール２がアンテナ１２から離間するほど（時間が経過するほど）、アンテナ１２で受信される反射波Ｗ２の信号強度が低下し、各周波数分布ＤＡ、ＤＢ、ＤＣの信号強度はそれぞれ低下する。
この際、図３に示すドップラー信号Ｓｄの周波数分布ＤＢ、ＤＣの信号強度は周波数分布ＤＡの信号強度に比較して元々弱いため、周波数分布ＤＢ、ＤＣの信号強度を安定して計測する上で不利がある。また、アンテナ１２で受信可能な周波数分布ＤＢ、ＤＣの信号強度は、周波数分布ＤＡの信号強度よりも短時間で受信できなくなってしまうため、周波数分布ＤＢ、ＤＣの信号強度の計測可能な時間はごく限られた期間となる不利もある。
このような理由から、信号強度分布データＰの山の幅を確実に計測することが難しく、正確なスピン量Ｓｐを得る上で不利がある。
したがって、ゴルフボール２で反射される反射波Ｗ２のうちの周波数分布ＤＢ、ＤＣの信号強度を確実に安定してアンテナ１２で受信できるようなゴルフボール２が望まれている。
【００２０】
次に本実施の形態のゴルフボール２について説明する。
図５は第１の実施の形態におけるゴルフボール２の断面図である。
図５に示すように、ゴルフボール２は、球体２０と、交差面２２とを備えている。
交差面２２は、球体２０の中心を中心とした球面２４に対して交差し球体２０の外表面の内側に位置し、交差面２２は導電性を有する導電性交差面２６として形成されている。
球面２４は、球体２０の直径よりも小さい直径で形成され、導電性交差面２６は、球面２４の径方向外側に形成されている。
【００２１】
本実施の形態では、球面２４の中心を通る平面と交差する球面２４の全周に導電性を有する材料からなる環状体２８（第１の環状体）が突出形成されている。
導電性を有する材料としては、導電樹脂、導電エラストマー、導電布、導電繊維など従来公知の様々な材料が使用可能である。
本実施の形態では、環状体２８の断面は矩形状を呈している。
導電性交差面２６は、環状体２８の両側の側面で形成され、したがって、導電性交差面２６は、球面２４の周方向の全周の全長にわたって連続形成されている。
【００２２】
導電性交差面２６は、導電性を有するため高い電波反射特性を有しており、電波（マイクロ波）を効率よく反射する。
導電性交差面２６は、反射波Ｗ２の強度を十分に確保することができればよく、例えば、次に示す従来公知の関係式を用いることによって、導電性交差面２６の表面抵抗として必要な範囲を求めることができる。
すなわち、電波反射率：Γ、表面抵抗：Ｒとしたとき、式（１０）、式（１２）が成立する。
Γ＝（３７７−Ｒ）／（３７７＋Ｒ）        （１０）
Ｒ＝（３７７（１−Γ））／（１＋Γ）      （１２）
Γ＝１は全反射、Γ＝０は無反射を示し、３７７は空気の特性インピーダンスを示す。
したがって、式（１２）より
Γ＝１のときＲ＝０
Γ＝０のときＲ＝３７７
ここで、Γ＝０．５とすると、Ｒ＝３７７（０．５／１．５）≒１３０となる。
したがって、電波反射率Γとして十分な値をΓ＝０．５（５０％）以上とすると、表面抵抗Ｒは１３０Ω／ｓｑ．以下とすることが必要となる。
また、電波反射率Γが０．９（９０％）以上であり、したがって、表面抵抗Ｒが２０Ω／ｓｑ．以下であることが、反射波Ｗ２の強度を確保する上でより好ましい。
なお、電波反射率Γは、導波管法や自由空間法など従来公知方法によって測定することができるものである。
【００２３】
より詳細に説明すると、ゴルフボール２は、球状で中実のコア層３０と、コア層３０を覆うカバー層３２とを備えている。
本実施の形態では、球体２０は、コア層３０およびカバー層３２で構成され、球面２４は、コア層３０の表面（外面）である。
本実施の形態ではコア層３０は、合成ゴムなどの従来公知の材料で構成されている。コア層３０は単一のコア層３０で構成されていても、あるいは、２層以上のコア層３０で構成されていてもよいことは無論である。
カバー層３２は、従来公知のさまざまな合成樹脂などを使用することができる。
カバー層３２の表面には多数のディンプルが形成されている。
本実施の形態では、球体２０の半径方向外側に位置する環状体２８の先端面はカバー層３２の表面に露出している。
【００２４】
次に本実施の形態のゴルフボール２の作用効果について説明する。
本実施の形態では、球体２０の中心を中心とした球面２４に対して交差する交差面２２が導電性を有する導電性交差面２６として形成されている。
したがって、ドップラーレーダ１０のアンテナ１２から発射された送信波Ｗ１がゴルフボール２の回転と共に移動する導電性交差面２６によって反射される。そのため、反射波Ｗ２の電波強度を確保する上で有利となる。
すなわち、導電性交差面２６が、図２に示すように送信波Ｗ１の送信方向となす角度が０度に近い表面の部分である第２部分Ｂ、第３部分Ｃに対応する箇所に位置したときに、送信波Ｗ１が導電性交差面２６によって効率よく反射されるため、反射波Ｗ２の強度を確保することができる。
そのため、打撃されたゴルフボール２がアンテナ１２から離間してアンテナ１２で受信される反射波Ｗ２の信号強度が低下しても、各周波数分布ＤＢ、ＤＣの信号強度を確保することができる。
すなわち、ドップラー信号におけるスピン量Ｓｐを検出するために必要な周波数分布ＤＢ、ＤＣの信号強度を確保することができ、スピン量Ｓｐの検出を安定して確実に行う上で有利となる。
したがって、より長い期間にわたってスピン量Ｓｐの計測を安定して行うことができる。
また、ドップラーレーダ１０が室内に設置されるゴルフシミュレータ装置に適用されるものであった場合には、送信波Ｗ１の出力が低くても、Ｓ／Ｎ比が十分得られなくても、十分な信号強度を有する周波数分布ＤＢ、ＤＣを得ることができる。
そのため、ゴルフシミュレータ装置によって、ゴルフボール２の初速や打ち出し角に加えてスピン量Ｓｐに基づいて球筋や飛距離を正確に算出することができ、スピン量Ｓｐを反映させたより正確なシミュレーションを行うことができる。
具体的には、スピン量Ｓｐを反映させることにより、飛距離をより正確にシミュレーションすることができる。
【００２５】
（第２の実施の形態）
次に第２の実施の形態について説明する。
図６は第２の実施の形態のゴルフボール２の断面図である。
第２の実施の形態は、第１の実施の形態の変形例であり、環状体が２つ設けられている点が第１の実施の形態と異なり、それ以外は第１の実施の形態と同様である。なお、以下の実施の形態において第１の実施の形態と同様の部分、部材には同一の符号を付してその説明を省略する。
図６に示すように、ゴルフボール２は、球体２０と、交差面２２とを備えている。
球面２４の中心を通る第１の平面と交差する球面２４の全周に導電性を有する材料からなる第１の環状体２８Ａが突出形成されている。
球面２４の中心を通り第１の平面と直交する第２の平面と交差する球面２４の全周に導電性を有する材料からなる第２の環状体２８Ｂが突出形成されている。
導電性交差面２６は、第1の環状体２８および第２の環状体２８Ｂの両側の側面で形成されている。
したがって、第１の実施の形態と同様に、導電性交差面２６は、球面２４の周方向の全周の全長にわたって連続形成されている。
本実施の形態では、第1の環状体２８Ａおよび第２の環状体２８Ｂの断面は矩形状を呈し、球体２０の半径方向外側に位置する第1の環状体２８Ａおよび第２の環状体２８Ｂの先端面はカバー層３２の表面に露出している。
このような第２の実施の形態においても第１の実施の形態と同様の効果が奏される。
また、第２の実施の形態では、導電性交差面２６の数が第１の実施の形態よりも多いため、反射波Ｗ２が発生する頻度を第１の実施の形態よりも増加させることができる。したがって、反射波Ｗ２の受信をより安定して行うことができ、スピン量Ｓｐの検出を安定して確実に行う上でより有利となり、長い期間にわたってスピン量Ｓｐの計測を安定して行う上でより一層有利となる。
【００２６】
（第３の実施の形態）
次に第３の実施の形態について説明する。
図７は第３の実施の形態のゴルフボール２の断面図である。
第３の実施の形態は、導電性交差面２６が設けられている箇所が第１の実施の形態と異なっている。
図７に示すように、ゴルフボール２は、球体２０と、交差面２２とを備えている。
交差面２２は、球体２０の中心を中心とした球面２４に対して交差し、交差面２２は導電性を有する導電性交差面２６として形成されている。
球面２４は、球体２０の直径よりも小さい直径で形成され、導電性交差面２６は、球面２４の径方向内側に形成されている。
球面２４の中心を通る平面と交差する球面２４の全周に凹溝２５（第１の凹溝）が形成されている。
凹溝２５に導電性材料が埋め込まれることで環状体２８（第１の環状体）が形成されている。
導電性交差面２６は、環状体２８の両側の側面で形成され、したがって、導電性交差面２６は、球面２４の周方向の全周の全長にわたって連続形成されている。
本実施の形態では、環状体２８の断面は矩形状を呈している。
より詳細に説明すると、ゴルフボール２は、球状で中実のコア層３０と、コア層３０を覆うカバー層３２とを備え、球体２０は、コア層３０で構成され、球面２４は、コア層３０の表面（外面）である。
球体２０の半径方向外側に位置する環状体２８の先端面はコア層３０の表面に露出している。
このような第３の実施の形態においても第１の実施の形態と同様の効果が奏される。
【００２７】
（第４の実施の形態）
次に第４の実施の形態について説明する。
図８は第２の実施の形態のゴルフボール２の断面図である。
第４の実施の形態は、第３の実施の形態の変形例であり、環状体が２つ設けられている点が第３の実施の形態と異なり、それ以外は第３の実施の形態と同様である。
図８に示すように、ゴルフボール２は、球体２０と、交差面２２とを備えている。
球面２４の中心を通る第１の平面と交差する球面２４の全周に第１の凹溝２５Ａが形成されている。
第１の凹溝２５Ａに導電性材料が埋め込まれることで第１の環状体２８Ａが形成されている。
球面２４の中心を通り第１の平面と直交する第２の平面と交差する球面２４の全周に第２の凹溝２５Ｂが形成されている。
第２の凹溝２５Ｂに導電性材料が埋め込まれることで第２の環状体２８Ｂが形成されている。
導電性交差面２６は、第１の環状体２８Ａおよび第２の環状体２８Ｂの両側の側面で形成されている。
したがって、第２の実施の形態と同様に、導電性交差面２６は、球面２４の周方向の全周の全長にわたって連続形成されている。
本実施の形態では、第1の環状体２８Ａおよび第２の環状体２８Ｂの断面は矩形状を呈し、球体２０の半径方向外側に位置する第1の環状体２８Ａおよび第２の環状体２８Ｂの先端面はコア層３０の表面に露出している。
このような第４の実施の形態においても第３の実施の形態と同様の効果が奏される。
また、第４の実施の形態では、導電性交差面２６の数が第３の実施の形態よりも多いため、反射波Ｗ２が発生する頻度を第３の実施の形態よりも増加させることができる。したがって、反射波Ｗ２の受信をより安定して行うことができ、スピン量Ｓｐの検出を安定して確実に行う上でより有利となり、長い期間にわたってスピン量Ｓｐの計測を安定して行う上でより一層有利となる。
【００２８】
（第５の実施の形態）
次に第５の実施の形態について説明する。
図９は第５の実施の形態のゴルフボール２の断面図である。
第５の実施の形態は、導電性交差面２６が設けられている箇所が第１の実施の形態と異なっている。
図９に示すように、ゴルフボール２は、球体２０と、交差面２２とを備えている。
交差面２２は、球体２０の中心を中心とした球面２４に対して交差し、交差面２２は導電性を有する導電性交差面２６として形成されている。
球面２４は、球体２０の直径よりも小さい直径で形成され、導電性交差面２６は、球面２４の径方向外側に形成されている。
球面２４の中心を通る平面と交差する球面２４の全周に導電性を有する材料からなる環状体２８が突出形成されている。
導電性交差面２６は、環状体２８の両側の側面で形成され、したがって、導電性交差面２６は、球面２４の周方向の全周の全長にわたって連続形成されている。
本実施の形態では、環状体２８の断面は矩形状を呈している。
より詳細には、球体２０は、球状で中実のコア層３０と、このコア層３０を覆う第１のカバー層３２Ａおよび第２のカバー層３２Ｂとで形成されている。
本実施の形態では、第１のカバー層３２Ａおよび第２のカバー層３２Ｂがコア層３０を覆う複数の層を構成している。
第１のカバー層３２Ａおよび第２のカバー層３２Ｂは、導電性交差面２６による電波の反射がなされるように、電波の通過を許容する材料で形成されている。
第２のカバー層３２Ｂの表面には多数のディンプルが形成されている。
球面２４は第１のカバー層３２Ａの表面で形成されている。
本実施の形態では、球体２０の半径方向外側に位置する環状体２８の先端面は第２のカバー層３２Ｂの表面に露出している。
このような第５の実施の形態においても第１の実施の形態と同様の効果が奏される。
【００２９】
（第６の実施の形態）
次に第６の実施の形態について説明する。
図１０は第６の実施の形態のゴルフボール２の断面図である。
第６の実施の形態は、第５の実施の形態の変形例であり、環状体が２つ設けられている点が第５の実施の形態と異なり、それ以外は第５の実施の形態と同様である。
図１０に示すように、ゴルフボール２は、球体２０と、交差面２２とを備えている。
球面２４の中心を通る第１の平面と交差する球面２４の全周に導電性を有する材料からなる第１の環状体２８Ａが突出形成されている。
球面２４の中心を通り第１の平面と直交する第２の平面と交差する球面２４の全周に導電性を有する材料からなる第２の環状体２８Ｂが突出形成されている。
導電性交差面２６は、第1の環状体２８Ａおよび第２の環状体２８Ｂの両側の側面で形成されている。
したがって、導電性交差面２６は、球面２４の周方向の全周の全長にわたって連続形成されている。
本実施の形態では、第1の環状体２８Ａおよび第２の環状体２８Ｂの断面は矩形状を呈している。
より詳細には、球体２０は、球状で中実のコア層３０と、このコア層３０を覆う第１のカバー層３２Ａおよび第２のカバー層３２Ｂとで形成されている。
第１のカバー層３２Ａおよび第２のカバー層３２Ｂは、導電性交差面２６による電波の反射がなされるように、電波の通過を許容する材料で形成されている。
球面２４は第１のカバー層３２Ａの表面で形成されている。
本実施の形態では、球体２０の半径方向外側に位置する第1の環状体２８Ａおよび第２の環状体２８Ｂの先端面は第２のカバー層３２Ｂの表面に露出している。
このような第６の実施の形態においても第１の実施の形態と同様の効果が奏される。
また、第６の実施の形態では、導電性交差面２６の数が第５の実施の形態よりも多いため、反射波Ｗ２が発生する頻度を第５の実施の形態よりも増加させることができる。したがって、反射波Ｗ２の受信をより安定して行うことができ、スピン量Ｓｐの検出を安定して確実に行う上でより有利となり、長い期間にわたってスピン量Ｓｐの計測を安定して行う上でより一層有利となる。
【００３０】
（第７の実施の形態）
次に第７の実施の形態について説明する。
図１１は第７の実施の形態のゴルフボール２の断面図である。
第７の実施の形態は、第６の実施の形態の変形例であり、第1の環状体２８Ａおよび第２の環状体２８Ｂが第２のカバー層３２Ｂで覆われている点が第６の実施の形態と異なり、それ以外は第６の実施の形態と同様である。
すなわち、本実施の形態では、第1の環状体２８Ａおよび第２の環状体２８Ｂの断面は矩形状を呈し、球体２０の半径方向外側に位置する第1の環状体２８Ａおよび第２の環状体２８Ｂの先端面は第２のカバー層３２Ｂで覆われている。
このような第７の実施の形態においても第６の実施の形態と同様の効果が奏される。
【００３１】
（第８の実施の形態）
次に第８の実施の形態について説明する。
図１２は第８の実施の形態のゴルフボール２の断面図である。
第８の実施の形態は、第５の実施の形態の変形例であり、導電性交差面２６が設けられている箇所が第５の実施の形態と異なっている。
図１２に示すように、ゴルフボール２は、球体２０と、交差面２２とを備えている。
交差面２２は、球体２０の中心を中心とした球面２４に対して交差し、交差面２２は導電性を有する導電性交差面２６として形成されている。
球面２４は、球体２０の直径よりも小さい直径で形成され、導電性交差面２６は、球面２４の径方向外側に形成されている。
球面２４の中心を通る平面と交差する球面２４の全周に導電性を有する材料からなる環状体２８が突出形成されている。
導電性交差面２６は、環状体２８の両側の側面で形成され、したがって、導電性交差面２６は、球面２４の周方向の全周の全長にわたって連続形成されている。
本実施の形態では、環状体２８の断面は矩形状を呈している。
より詳細には、球体２０は、球状で中実のコア層３０と、このコア層３０を覆う第１のカバー層３２Ａおよび第２のカバー層３２Ｂとで形成されている。
球面２４はコア層３０の表面で形成されている。
本実施の形態では、球体２０の半径方向外側に位置する環状体２８の先端面は第１のカバー層３２Ａの表面に露出し、第２のカバー層３２Ｂで覆われている。
このような第８の実施の形態においても第１の実施の形態と同様の効果が奏される。
【００３２】
（第９の実施の形態）
次に第９の実施の形態について説明する。
図１３は第９の実施の形態のゴルフボール２の断面図である。
第９の実施の形態は、第８の実施の形態の変形例であり、環状体が２つ設けられている点が第８の実施の形態と異なり、それ以外は第８の実施の形態と同様である。
図１３に示すように、ゴルフボール２は、球体２０と、交差面２２とを備えている。
球面２４の中心を通る第１の平面と交差する球面２４の全周に導電性を有する材料からなる第１の環状体２８Ａが突出形成されている。
球面２４の中心を通り第１の平面と直交する第２の平面と交差する球面２４の全周に導電性を有する材料からなる第２の環状体２８Ｂが突出形成されている。
導電性交差面２６は、第1の環状体２８および第２の環状体２８Ｂの両側の側面で形成されている。
したがって、導電性交差面２６は、球面２４の周方向の全周の全長にわたって連続形成されている。
本実施の形態では、第1の環状体２８Ａおよび第２の環状体２８Ｂの断面は矩形状を呈し、球体２０の半径方向外側に位置する第1の環状体２８Ａおよび第２の環状体２８Ｂの先端面は第１のカバー層３２Ａの表面に露出し、第２のカバー層３２Ｂで覆われている。
より詳細には、球体２０は、球状で中実のコア層３０と、このコア層３０を覆う第１のカバー層３２Ａおよび第２のカバー層３２Ｂとで形成され、球面２４はコア層３０の表面で形成されている。
このような第９の実施の形態においても第１の実施の形態と同様の効果が奏される。
また、第９の実施の形態では、導電性交差面２６の数が第８の実施の形態よりも多いため、反射波Ｗ２が発生する頻度を第８の実施の形態よりも増加させることができる。したがって、反射波Ｗ２の受信をより安定して行うことができ、スピン量Ｓｐの検出を安定して確実に行う上でより有利となり、長い期間にわたってスピン量Ｓｐの計測を安定して行う上でより一層有利となる。
【００３３】
（第１０の実施の形態）
次に第１０の実施の形態について説明する。
図１４は第１０の実施の形態のゴルフボール２の断面図である。
第１０の実施の形態は、第９の実施の形態の変形例であり、導電性交差面２６が設けられている箇所が第９の実施の形態と異なっている。
図１４に示すように、ゴルフボール２は、球体２０と、交差面２２とを備えている。
球面２４の中心を通る第１の平面と交差する球面２４の全周に第１の凹溝２５Ａが形成されている。
第１の凹溝２５Ａに導電性材料が埋め込まれることで第１の環状体２８Ａが形成されている。
球面２４の中心を通り第１の平面と直交する第２の平面と交差する球面２４の全周に第２の凹溝２５Ｂが形成されている。
第２の凹溝２５Ｂに導電性材料が埋め込まれることで第２の環状体２８Ｂが形成されている。
導電性交差面２６は、第１の環状体２８Ａおよび第２の環状体２８Ｂの両側の側面で形成されている。
したがって、導電性交差面２６は、球面２４の周方向の全周の全長にわたって連続形成されている。
本実施の形態では、第1の環状体２８Ａおよび第２の環状体２８Ｂの断面は矩形状を呈している。
より詳細には、球体２０は、球状で中実のコア層３０と、このコア層３０を覆う第１のカバー層３２Ａおよび第２のカバー層３２Ｂとで形成され、球面２４は第１のカバー層３２Ａの表面で形成されている。
本実施の形態では、球体２０の半径方向外側に位置する第1の環状体２８Ａおよび第２の環状体２８Ｂの先端面は第１のカバー層３２Ａの表面に露出し、第２のカバー層３２Ｂで覆われている。
このような第１０の実施の形態においても第９の実施の形態と同様の効果が奏される。
【００３４】
（第１１の実施の形態）
次に第１１の実施の形態について説明する。
図１５は第１１の実施の形態のゴルフボール２の断面図である。
第１１の実施の形態は、導電性交差面２６が設けられている箇所が第１の実施の形態と異なっている。
図１５に示すように、ゴルフボール２は、球体２０と、交差面２２とを備えている。
球面２４の中心を通る平面と交差する球面２４の全周に凹溝２５が形成されている。
凹溝２５に導電性材料が埋め込まれることで環状体２８（第１の環状体）が形成されている。
導電性交差面２６は、環状体２８の両側の側面で形成されている。
したがって、導電性交差面２６は、球面２４の周方向の全周の全長にわたって連続形成されている。
本実施の形態では、環状体２８の断面は矩形状を呈している。
より詳細には、球体２０は、球状で中実のコア層３０と、このコア層３０を覆う第１のカバー層３２Ａおよび第２のカバー層３２Ｂとで形成され、球面２４はコア層３０の表面で形成されている。
第１のカバー層３２Ａおよび第２のカバー層３２Ｂは、導電性交差面２６による電波の反射がなされるように、電波の通過を許容する材料で形成されている。
本実施の形態では、球体２０の半径方向外側に位置する環状体２８の先端面はコア層３０の表面に露出し、第１のカバー層３２Ａで覆われている。
このような第１１の実施の形態においても第１の実施の形態と同様の効果が奏される。
【００３５】
（第１２の実施の形態）
次に第１２の実施の形態について説明する。
図１６は第１２の実施の形態のゴルフボール２の断面図である。
第１２の実施の形態は、第１１の実施の形態の変形例であり、環状体が２つ設けられている点が第１０の実施の形態と異なり、それ以外は第１０の実施の形態と同様である。
図１６に示すように、ゴルフボール２は、球体２０と、交差面２２とを備えている。
球面２４の中心を通る第１の平面と交差する球面２４の全周に第１の凹溝２５Ａが形成されている。
第１の凹溝２５Ａに導電性材料が埋め込まれることで第１の環状体２８Ａが形成されている。
球面２４の中心を通り第１の平面と直交する第２の平面と交差する球面２４の全周に第２の凹溝２５Ｂが形成されている。
第２の凹溝２５Ｂに導電性材料が埋め込まれることで第２の環状体２８Ｂが形成されている。
導電性交差面２６は、第１の環状体２８Ａおよび第２の環状体２８Ｂの両側の側面で形成されている。
したがって、導電性交差面２６は、球面２４の周方向の全周の全長にわたって連続形成されている。
本実施の形態では、環状体２８の断面は矩形状を呈している。
より詳細には、球体２０は、球状で中実のコア層３０と、このコア層３０を覆う第１のカバー層３２Ａおよび第２のカバー層３２Ｂとで形成され、球面２４はコア層３０の表面で形成されている。
本実施の形態では、球体２０の半径方向外側に位置する第1の環状体２８Ａおよび第２の環状体２８Ｂの先端面はコア層３０の表面に露出し、第１のカバー層３２Ａで覆われている。
このような第１２の実施の形態においても第１１の実施の形態と同様の効果が奏される。
また、第１２の実施の形態では、導電性交差面２６の数が第１１の実施の形態よりも多いため、反射波Ｗ２が発生する頻度を第１１の実施の形態よりも増加させることができる。したがって、反射波Ｗ２の受信をより安定して行うことができ、スピン量Ｓｐの検出を安定して確実に行う上でより有利となり、長い期間にわたってスピン量Ｓｐの計測を安定して行う上でより一層有利となる。
【００３６】
（第１３の実施の形態）
次に第１３の実施の形態について説明する。
図１７は第１３の実施の形態のゴルフボール２の断面図である。
第１３の実施の形態は、図１２に示す、第８の実施の形態の変形例であり、環状体２８の断面形状が第８の実施の形態と異なり、それ以外は第８の実施の形態と同様である。
図１７に示すように、ゴルフボール２は、球体２０と、交差面２２とを備えている。
球面２４の中心を通る平面と交差する球面２４の全周に凹溝２５が形成されている。
凹溝２５に導電性材料が埋め込まれることで環状体２８（第１の環状体）が形成されている。
導電性交差面２６は、環状体２８の両側の側面で形成されている。
したがって、導電性交差面２６は、球面２４の周方向の全周の全長にわたって連続形成されている。
本実施の形態では、環状体２８の断面は球体２０の半径方向外側に至るほど幅が狭くなる台形状を呈している。
より詳細には、球体２０は、球状で中実のコア層３０と、このコア層３０を覆う第１のカバー層３２Ａおよび第２のカバー層３２Ｂとで形成され、球面２４は第１のカバー層３２Ａの表面で形成されている。
本実施の形態では、球体２０の半径方向外側に位置する環状体２８の先端面は第１のカバー層３２Ａの表面に露出し、第２のカバー層３２Ｂで覆われている。
このような第１３の実施の形態においても第１の実施の形態と同様の効果が奏される。
【００３７】
（第１４の実施の形態）
次に第１４の実施の形態について説明する。
図１８は第１４の実施の形態のゴルフボール２の断面図である。
第１４の実施の形態は、第１３の実施の形態の変形例であり、環状体２８の断面形状が第１３の実施の形態と異なり、それ以外は第１３の実施の形態と同様である。
図１８に示すように、ゴルフボール２は、球体２０と、交差面２２とを備えている。
球面２４の中心を通る平面と交差する球面２４の全周に凹溝２５が形成されている。
凹溝２５に導電性材料が埋め込まれることで環状体２８が形成されている。
導電性交差面２６は、環状体２８の両側の側面で形成されている。
したがって、導電性交差面２６は、球面２４の周方向の全周の全長にわたって連続形成されている。
本実施の形態では、環状体２８の断面は球体２０の半径方向に長軸を一致させた楕円状を呈している。
より詳細には、球体２０は、球状で中実のコア層３０と、このコア層３０を覆う第１のカバー層３２Ａおよび第２のカバー層３２Ｂとで形成され、球面２４は第１のカバー層３２Ａの表面で形成されている。
本実施の形態では、球体２０の半径方向外側に位置する環状体２８の先端面は第１のカバー層３２Ａの表面に露出し、第２のカバー層３２Ｂで覆われている。
このような第１４の実施の形態においても第１の実施の形態と同様の効果が奏される。
【００３８】
（第１５の実施の形態）
次に第１５の実施の形態について説明する。
図１９は第１５の実施の形態のゴルフボール２の断面図である。
第１５の実施の形態は、第１３の実施の形態の変形例であり、環状体２８の断面形状が第１３の実施の形態と異なり、それ以外は第１３の実施の形態と同様である。
図１９に示すように、ゴルフボール２は、球体２０と、交差面２２とを備えている。
球面２４の中心を通る平面と交差する球面２４の全周に凹溝２５が形成されている。
凹溝２５に導電性材料が埋め込まれることで環状体２８が形成されている。
導電性交差面２６は、環状体２８の両側の側面で形成されている。
したがって、導電性交差面２６は、球面２４の周方向の全周の全長にわたって連続形成されている。
本実施の形態では、環状体２８の断面は球体２０の半径方向外側に至るほど幅が広くなる台形状を呈し、導電性交差面２６が球体２０の中心を通る平面上に位置するように形成されている。
より詳細には、球体２０は、球状で中実のコア層３０と、このコア層３０を覆う第１のカバー層３２Ａおよび第２のカバー層３２Ｂとで形成され、球面２４は第１のカバー層３２Ａの表面で形成されている。
本実施の形態では、球体２０の半径方向外側に位置する環状体２８の先端面は第１のカバー層３２Ａの表面に露出し、第２のカバー層３２Ｂで覆われている。
このような第１５の実施の形態においても第１の実施の形態と同様の効果が奏される。
【００３９】
また、導電性交差面２６が球体２０の中心を通る平面上に位置するように形成されている。そのため、図２で示したように、導電性交差面２６が送信波W1の送信方向に対して直交することで、導電性交差面２６の最も速い回転速度を、最も効率良く反射した反射波Ｗ２が得られる。
そのため、図２で示した第２部分速度Ｖｂと第３部分速度Ｖｃとの速度差が大きくなり、反射波Ｗ２の周波数成分をより広く得ることができ、図４における信号強度分布データPを安定して算出でき、したがって、スピン量の算出をより正確に行なう上で有利となる。
【００４０】
（実施例１）
次にゴルフボール２の実験結果について説明する。なお、以下では、第１の実施の形態のゴルフボール２について実験を行った。
実施例について説明する。
実験条件は次のとおりである。
実験例１は、ゴルフボール２に導電性交差面２６が形成されていないものである。
実験例２は、ゴルフボール２に導電性交差面２６が形成され、導電性交差面２６の球体２０の半径方向に沿った高さが０．３ｍｍであるものである。
実験例３は、ゴルフボール２に導電性交差面２６が形成され、導電性交差面２６の球体２０の半径方向に沿った高さが０．５ｍｍであるものである。
このように構成された各ゴルフボール２をゴルフボール打ち出し装置（ランチャー）によって打ち出してドップラーレーダ１０を使用した計測装置を用いて計測を行い、ドップラー信号Ｓｄを周波数解析することによって得た、周波数ごとの信号強度の分布を示す信号強度分布データＰを得た。
ゴルフボール打ち出し装置によってゴルフボール２に与えるスピン量は５０００ｒｐｍとした。
図２１（Ａ）〜（Ｂ）は実験例１〜３における信号強度分布データＰｓを示す図である。
【００４１】
図２１（Ｂ）、（Ｃ）は、図２１（Ａ）に比較して、信号強度分布データＰｓの波形の山の幅を大きく確保している。
また、図２１（Ｃ）は図２１（Ｂ）に比較して信号強度分布データＰｓの波形の山の幅がより大きい。
したがって、導電性交差面２６を形成することがスピン量を正確に計測する上で有利であり、導電性交差面２６の面積が大きいほどスピン量を正確に計測する上でより有利となることが明らかである。
【００４２】
なお、実施の形態では、導電性交差面２６が球面２４の周方向の全周に沿って形成されている場合について説明したが、導電性交差面２６は、球面２４の周方向に間隔をおいて複数形成されていてもよい。
また、導電性交差面２６は、球面２４の周方向に沿って形成される必要はなく、不規則に形成されていてもよい。
【００４３】
また、実施の形態では、導電性を有する材料からなる環状体２８を設け、環状体２８の両側の側面で導電性交差面２６を形成する場合について説明した。
しかしながら、導電性交差面２６は、球体２０の中心を中心とした球面２４に対して交差していればよいのであり、本発明は、導電性を有する材料からなる環状体２８を用いて導電性交差面２６を形成する構成に限定されるものではない。
例えば、以下のような構成としてもよい。
１）球面２４上に導電性を有さない材料からなる環状体２８を突出形成し、環状体２８の両側の側面で交差面２２を形成し、これら交差面２２の表面に金属粉末を含む塗料を塗布することで導電性交差面２６を形成する。
２）上記交差面２２の表面に金属箔、導電樹脂、導電エラストマー、導電布、導電繊維を接着することで導電性交差面２６を形成する。
３）上記交差面２２の表面に導電性を有する材料を蒸着することで導電性交差面２６を形成する。
【００４４】
また、導電性交差面２６の構成は、図２０（Ａ）〜（Ｄ）に示す構成としてもよい。この場合、球体２０は、球状で中実のコア層３０と、このコア層３０を覆う第１のカバー層３２Ａおよび第２のカバー層３２Ｂとで形成され、球面２４は第１のカバー層３２Ａの表面で形成されている。なお、球面２４の位置は、第２のカバー層３２Ｂの表面であっても、コア層３０の表面であってもよい。
１）図２０（Ａ）に示すように、球面２４に１個以上の凹部４０を設けると共に、凹部４０の側面に導電性を有する材料４６を形成し、凹部４０の側面に形成した導電性を有する材料４６によって導電性交差面２６を構成してもよい。この場合、導電性交差面２６を除く凹部４０の部分は、導電性交差面２６による送信波Ｗ１の反射を妨げなければどのような構成であってもよい。例えば、導電性交差面２６を除く凹部４０の部分に、第１のカバー層３２Ａと同じ材料が充填されていても、第２のカバー層３２Ｂと同じ材料が充填されていてもよい。
２）図２０（Ｂ）に示すように、球面２４に１個以上の凹部４０を設けると共に、凹部４０に導電性を有する材料４６を充填、充填された材料４６の側面によって導電性交差面２６を構成してもよい。
３）図２０（Ｃ）に示すように、球面２４に１個以上の凸部４２を設けると共に、凸部４２の側面に導電性を有する材料４６を形成し、凸部４２の側面に形成した導電性を有する材料４６によって導電性交差面２６を構成してもよい。
４）図２０（Ｄ）に示すように、球面２４に導電性を有する材料４６からなる１個以上の凸部４２を設けると共に、凸部４２の側面によって導電性交差面２６を構成してもよい。
このような変形例においても第１の実施の形態と同様の効果が奏される。
【００４５】
（実施例２）
次にゴルフボール２の他の実験結果について説明する。
なお、以下では、図２２に示す構造のゴルフボール２について実験を行った。このゴルフボール２の構造は図２０（Ｄ）に示すものと同一である。
この場合、図２２に示すように、導電性を有する材料４６からなる凸部４２と第２のカバー層３２Ｂの表面との球体２０の半径方向に沿った距離ａは１．３ｍｍである。
凸部４２の幅（対向する２つの導電性交差面２６の間隔）ｂは５ｍｍである。
図２３に示すように、実験例１０は、比較例に相当するものであり、ゴルフボール２に導電性交差面２６が形成されていないものである。
実験例１１は、導電性交差面２６の球体２０の半径方向に沿った高さｈを２０μｍとした。２０μｍは、一般的な金属箔の厚さに相当する。
実験例１２は、高さｈを１５０μｍとした。１５０μｍは、比較的厚い塗膜の厚さに相当する。
実験例１３〜１６は、高さｈを３００μｍ、５００μｍ、９００μｍ、１５００μｍとした。
このように構成された各ゴルフボール２をゴルフボール打ち出し装置（ランチャー）によりボール回転数５０００ｒｐｍ（毎分５０００回転）に調整して飛翔させ、各実験例毎にドップラーレーダを用いてスピン量を１００回計測し、スピン量の標準偏差を求めた。
そして、実験例１１の標準偏差を１００として、各実験例の標準偏差を逆比例させて指数表示した。
つまり実験例１１の標準偏差の１／２の標準偏差であれば、指数は２００となる。指数が２００以上の場合は２００を上限として記載した。
なお、導電性交差面２６が形成されていない実験例１０は、スピン量を計測するに足る信号強度分布データＰｓが得られないため、図２３において指数が記載されていない。
【００４６】
図２３に示すように、導電性交差面２６の球体２０の半径方向に沿った高さｈが１５０μｍ以上でスピン量のバラツキ指数が１１３以上となり、高さｈが３００μｍ以上でスピン量のバラツキ指数が２００以上となる。
したがって、導電性交差面２６の球体２０の半径方向に沿った高さｈは、好ましくは２００μｍ以上、より好ましくは４００μｍ以上といえる。
なお、導電性交差面２６の球体２０の半径方向に沿った高さｈの上限は、各種ボールの外径により適宜定められるものである。例えば、ゴルフボールの場合は外径が４３ｍｍ程度であり、この外径によって導電性交差面２６の球体２０の半径方向に沿った高さｈの上限が適宜定められることになる。
その際、導電性交差面２６の配置や面積などは、当該ボールに要求される飛翔特性、対称性などの特性を考慮して適宜定めることができる。
【００４７】
また、図５、図６、図９、図１０、図１１、図１２、図１３に示すように、球面２４が球体２０の直径よりも小さい直径で形成され、導電性交差面２６が球面２４の径方向外側に形成されている構成においては、導電性交差面２６を除く球面２４の全域を、導電性をもたせた導電性球面としてもよい。
この場合には、導電性球面における反射波Ｗ２の強度を高めることができるため、図３に示す周波数分布ＤＡの信号強度を確保する上で有利となる。すなわち、図４に示すように、信号強度分布データＰの山（信号強度Ｐｓの最大値Ｄｍａｘ）をより大きく計測することができる。
したがって、より長い期間にわたってゴルフボール２の移動速度の計測を安定して行う上で有利となる。
【００４８】
また、実施の形態では、単一の環状体２８を設ける場合、あるいは、第１の環状体２８Ａおよび第２の環状体２８Ｂの２つの環状体を設ける場合について説明したが、環状体の数は３つ以上でもよい。
また、実施の形態では、単一の凹溝２５を設ける場合、あるいは、第１の凹溝２５Ａおよび第２の凹溝２５Ｂの２つの凹溝を設ける場合について説明したが、凹溝の数は３つ以上でもよい。
【００４９】
また、実施の形態では、球技用ボールがゴルフボール２である場合について説明したが、本発明はゴルフボール２に限定されるものではなく、硬式野球用ボール、軟式野球用ボール、テニスボール、サッカーボールなど従来公知の様々な球技用ボールに広く適用可能である。
【符号の説明】
【００５０】
Ｗ１……送信波、Ｗ２……反射波、２……ゴルフボール（球技用ボール）、４……ゴルフクラブヘッド、６……シャフト、８……ゴルフクラブ、１０……ドップラーレーダ、１２……アンテナ、１４……ドップラーセンサ、２０……球体、２２……交差面、２４……球面、２５……凹溝、２５Ａ……第１の凹溝、２５Ｂ……第２の凹溝、２６……導電性交差面、２８……環状体、２８Ａ……第１の環状体、２８Ｂ……第２の環状体、３０……コア層、３２……カバー層、３２Ａ……第１のカバー層、３２Ｂ……第２のカバー層。
【図１】
2013172015.tif 000003
【図２】
2013172015.tif 000004
【図３】
2013172015.tif 000005
【図４】
2013172015.tif 000006
【図５】
2013172015.tif 000007
【図６】
2013172015.tif 000008
【図７】
2013172015.tif 000009
【図８】
2013172015.tif 000010
【図９】
2013172015.tif 000011
【図１０】
2013172015.tif 000012
【図１１】
2013172015.tif 000013
【図１２】
2013172015.tif 000014
【図１３】
2013172015.tif 000015
【図１４】
2013172015.tif 000016
【図１５】
2013172015.tif 000017
【図１６】
2013172015.tif 000018
【図１７】
2013172015.tif 000019
【図１８】
2013172015.tif 000020
【図１９】
2013172015.tif 000021
【図２０】
2013172015.tif 000022
【図２１】
2013172015.tif 000023
【図２２】
2013172015.tif 000024
【図２３】
2013172015.tif 000025
【国際調査報告】
2013172015.tif 000026
2013172015.tif 000027
2013172015.tif 000028
2013172015.tif 000029
2013172015.tif 000030
2013172015.tif 000031